Podtech/llm-jp-corpus-v4-ja_patent huggingface dataset:
(57)【要約】【課題】特定空間にワイヤレスで電力を供給する装置において、様々な要因によって電力供給の効率低下が生じてしまう。【解決手段】共振強度測定部で共振の状況を監視し、共振強度が変化した際には制御部がインピーダンス整合部を調整し、共振強度が極大となるよう制御する。【選択図】図５
2016163420.tif 000002
【特許請求の範囲】
【請求項１】
特定周波数で共振させた電磁波で給電を行うワイヤレス給電装置であって、
給電コイルと、インピーダンス整合部と、共振強度測定部と、制御部と、を具備し、
前記共振強度測定部で測定した共振強度に基づいて、前記制御部が前記インピーダンス整合部を調整し、共振強度が極大となるよう制御することを特徴とするワイヤレス給電装置。
【発明の詳細な説明】
【技術分野】
【０００１】
本発明は、電磁波によるワイヤレス給電装置に関するものである。
【背景技術】
【０００２】
電気機器などへの給電方式としてワイヤレス給電が近年発達してきている。日常生活での利用を前提にすると電磁界方式やその一種である磁界共振方式などが有力であり、例えば停止している電気自動車のようなものへの給電方法として先行特許文献のような技術が提案されている。
【先行技術文献】
【特許文献】
【０００３】
【特許文献１】特開２０１３−００５５２７号公報
【発明の概要】
【発明が解決しようとする課題】
【０００４】
先行技術文献のような技術は、給電を行う場所を予め定めてあるため電磁界環境として安定している状況を設定可能である。しかしながら、特定空間に給電を行う小型・可搬の装置の場合、類似の装置が近傍に存在する可能性や、載置場所近辺に導電性物体が存在する可能性や、給電を行う特定空間内に異物が存在する可能性や、給電を行う対象そのものが複数存在する可能性があり、給電を行う電磁界環境条件が極めて広範にわたり、性能を安定化させ効率良く給電を行うのが困難という事情がある。
【課題を解決するための手段】
【０００５】
そこで本願発明者はこれらの問題を解決すべく本願発明を成した。
【０００６】
本発明によるワイヤレス給電装置は、
「特定周波数で共振させた電磁波で給電を行うワイヤレス給電装置であって、給電コイルと、インピーダンス整合部と、共振強度測定部と、制御部と、を具備し、共振強度測定部で測定した共振強度に基づいて、制御部がインピーダンス整合部を調整し、共振強度が極大となるよう制御する」
ことを特徴としている。
【発明の効果】
【０００７】
本発明により、近傍に類似の装置が存在していても、載置場所近辺に導電性物質が存在していても、給電を行う空間内に異物が存在していても、給電を行う対象が複数であっても、安定して効率良く給電が可能となる。
【発明を実施するための形態】
【０００８】
詳細な説明の前に、本明細書内で共通の事項について説明する。
本発明において、ワイヤレス給電は電磁界方式の一種である磁界共振を前提にして説明する。この方式は、空芯トランスの片側で共振を生じさせると結合係数が増大することを利用している。その為、共振周波数を維持することが給電効率に大きく影響する。
加えて、制御部としてはマイコンを使用するが、これに限定されない。
また、インピーダンス整合部の一部であるモータはステップパルスモータを使用するが、回転角度が検出できるものであればこれに限定されない。
更に、インピーダンス整合部の一部である可変コンデンサは空隙型回転方式のバリコン（バリアブルコンデンサ）を使用するが、これに限定されず、例えばバリキャップ（電圧制御型の半導体容量素子）や、リレーと通常のコンデンサを組合わせた切替式であっても良い。
【図面の簡単な説明】
【０００９】
【図１】本発明の概略を示すブロック図である。
【図２】本発明の回路構成の概略図である。
【図３】可変コンデンサ回転角度と共振強度の関係例を示す図である。
【図４】可変コンデンサ回転角度と静電容量の関係例を示す図である。
【図５】本発明の概略を示す図である。
【実施例】
【００１０】
図１は、本発明の基本的な概念を示している。
ＣＰＵは制御部に該当し、全体の動作を統括する。
バリコンは共振周波数を調整する要素として作用する。バリコンの回転軸をモータで駆動する。モータの回転角度は入力パルスで制御可能であるため、バリコンの回転角度すなわち容量を任意に設定可能である。
Ｔｘコイルは給電に用いる送信用のコイルであり、通常は給電対象が存在する空間の外側に巻回される。
リフレクタは共振状態を監視する部位であり、センサ入力として図示しないＡ／Ｄ（アナログ−ディジタル）変換された後にＣＰＵへデータとして入力される。
【００１１】
図２は、図１をより具体的に回路素子を主体として表現したものである。
【００１２】
図３は、モータ（ステップパルスモータ）の入力パルス数と共振強度の関係の例を示すものである。
共振強度が高いほど給電効率は良くなるので、この関係においてピーク附近になるようモータの回転角を制御する。なお、ステップパルスモータに入力するパルス数とモータ軸の回転角度は比例関係にあるので入力パルス数は係数を乗じることで単純に回転角度に変換できる。
【００１３】
図４は、バリコンの回転角度（図中では入力パルス数と図示）と静電容量の関係の例を示している。
この例では、扇状の羽根を複数重ね合わせたタイプの特性であり、回転に応じて極大に達し、そのまま極小へ戻る。
しかしながら、このような直線特性である必要は無く、回転角度と静電容量の関係性が特性として事前にわかっていれば良いのである。
【００１４】
図５は、本発明の要旨部分のみを現した簡易図である。
マイコンによりモータ（ステップパルスモータ）を回転駆動させると、歯車で直結されている可変コンデンサの回転軸が駆動されるため可変コンデンサの静電容量が変化する。そうすると共振周波数を決定するインピーダンスが変化するため共振強度が変化する。この共振強度をマイコンへフィードバックすることで常に共振が極大になるように保つことができ、結果としてワイヤレス給電の効率を高く保つことが可能となる。
【００１５】
本発明ではこのように共振強度に基づいて可変コンデンサを変化させるため、近傍に類似の装置が存在していても、載置場所近辺に導電性物質が存在していても、給電を行う空間内に異物が存在していても、給電を行う対象が複数であっても、要因がなんであれその環境で最も高い共振強度が得られるよう可変コンデンサを設定するので、結果として安定して効率良く給電が可能となる。
【００１６】
以上、本発明について好適な実施例を挙げて説明したが、本発明はこれらの実施例に限定されるものではなく、発明の精神を逸脱しない限り多くの改変を施すことが可能であるのは勿論である。
【産業上の利用可能性】
【００１７】
量産可能な給電コイル・インピーダンス整合部・制御部を用いて安定したワイヤレス給電を行うことができ、電力供給の効率を向上させるなどの効果を有している。
【図１】
2016163420.tif 000003
【図２】
2016163420.tif 000004
【図３】
2016163420.tif 000005
【図４】
2016163420.tif 000006
【図５】
2016163420.tif 000007
(57)【要約】      （修正有）【課題】傘からの傘袋の着脱をスムーズに行うことができ、防水にすぐれた二重構造の傘袋を提供する。【解決手段】折りたたみ傘を覆う傘袋１０であって、折りたたまれた傘を覆い、二重構造の筒状態で形成され、一端が折りたたみ傘の端部近傍に固定され、他端には、弾性変形可能な帯状体１２が挿入される環状の通し孔１１が形成された傘袋１０とする。四角形状に形成された布地の表面を上に向けて配置し、布地中央において、左右方向に延びる折り線を谷として、中表に折り、布地の表面を内部に配置し、裏面を外部に配置し、折った布地の中央において、上下方向に延びる折り線を谷として、さらに左右合わせて二つ折りにし、左端よりわずかに離れた位置から右端まで下り傾斜する縫線で縫合し、縫線に沿って延びる切り取り線で裁断し、縫合した布地を、裏返し、表面を外部に配置し、左端において、環状に延びる縫線を縫合し、通し孔１１を形成する傘袋１０【選択図】図１
2016043163.tif 000002
【特許請求の範囲】
【請求項１】
折りたたみ傘を覆う傘袋であって、折りたたまれた傘を覆い、二重構造の筒状態で形成され、一端が折りたたみ傘の端部近傍に固定され、他端には、弾性変形可能な帯状体が挿入される環状の通し孔が形成された傘袋。
【請求項２】
四角形状に形成された布地の表面を上に向けて配置し、
布地中央において、左右方向に延びる折り線を谷として、中表に折り、布地の表面を内部に配置し、裏面を外部に配置し、
折った布地の中央において、上下方向に延びる折り線を谷として、さらに左右合わせて二つ折りにし、左端よりわずかに離れた位置から右端まで下り傾斜する縫線で縫合し、
縫線に沿って延びる切り取り線で裁断し、
縫合した布地を、裏返し、表面を外部に配置し、左端において、環状に延びる縫線を縫合し、通し孔を形成することを特徴とする傘袋の製造方法。
【発明の詳細な説明】
【技術分野】
【０００１】
本発明は折りたたみ傘を覆う傘袋に関するものである。    
【背景技術】
【０００２】
従来傘袋は、傘を入れるものとして、傘とは別体にて作られている。防水をかねた物もあるが、一般には布地は一重に縫製されている。使用するときに外さなければならないため、紛失しやすく又使用後の収納がわずらわしい。
【先行技術文献】
【特許文献】
【０００３】
【特許文献１】特開２０１０−２１００６号公報
【発明の概要】
【発明が解決しようとする課題】
【０００４】
しかし、上記従来の傘袋には、次のような問題点がある。
濡れた傘を収納するとき、傘を丁寧に折りたたまなければ、袋に収まらず、とりあえずビニール袋又は大きめの傘袋を使用する事が多い。
本発明は、傘からの傘袋の着脱をスムーズに行うことができ、防水にすぐれた二重構造の傘袋を提供する。
【課題を解決するための手段】
【０００５】
折りたたみ傘を覆う傘袋であって、折りたたまれた傘を覆い、二重構造の筒状態で形成され、一端が折りたたみ傘の端部近傍に固定され、他端には、弾性変形可能な帯状体が挿入される環状の通し孔が形成された傘袋。
【発明の効果】
【０００６】
本発明の、傘袋は、傘から傘袋の着脱をスムーズに行うことができ、防水性にすぐれた二重構増の傘袋を提供できる。
【図面の簡単な説明】
【０００７】
【図１】本発明の実施形態に係る傘袋を説明する図である。
【図２】本発明の実施形態に係る傘袋の製造方法を説明する図である。
【図３】本発明の実施形態に係る傘袋の製造方法を説明する図である。
【図４】本発明の実施形態に係る傘袋の製造方法を説明する図である。
【図５】本発明の実施形態に係る傘袋の製造方法を説明する図である。
【図６】本発明の実施形態に係る傘袋の製造方法を説明する図である。
【発明を実施するための形態】
【０００８】
以下、本発明を実施するための最良の形態を、説明する。
まず、図１を参照して、本発明の実施形態に係る傘袋１０の構成を説明する。
傘袋１０は、折りたたみ傘を覆う傘袋１０であって、折りたたまれた傘を覆い、二重構造の筒状態で形成され一端が折りたたみ傘の端部近傍に固定され、他端には、弾性変形可能な帯状体１２が挿入される環状の通し孔１１が形成されている。
次に、本実施形態の傘袋１０の製造方法を図２から図６を参照して説明する。
【０００９】
まず図２に示すように製造者は、四角形状に形成された布地１００の表面を上に向けて配置する。
【００１０】
次に図３に示すように製造者は、布地１００中央に左右方向に延びる折り線Ｌ１を谷として、中表に折る。これより、布地１００は表面が内部に配置され、裏面が外部に配置され折目（折り線Ｌ１）が下端に配置される。
【００１１】
次に図４に示すように、製造者は折った布地１００の中央において、上下方向に延びる折り線Ｌ２を谷として、さらに左右合わせて二つ折りにし、左端１５からわずかに離れた位置から右端１４まで下り傾斜する縫線Ｓ１で縫合する。
次に、図５に示すように、製造者は、縫線Ｓ１に沿って延びる切り取り線Ｃ１で裁断する。
【００１２】
次に製造者は、縫合した布地１００を、裏返し、表面を外部に配置し、左端１５おいて、環状に延びる縫線Ｓ２を縫合し、通し孔１１を形成する。
これより、図６に示す状態となり、二重構造の筒状体が形成される。
【００１３】
次に製造者は、形成した通し孔１１に、弾性変形可能な帯状体１２を挿入する。これにより、傘袋が完成する。
【００１４】
そして、製造者は、製造した傘袋１０の一端に持ち手２０を取り付けることで。図１に示すような傘カバー１が完成する。
【符号の説明】
【００１５】
１  傘カバー
１０  傘袋
１１  通し孔
１２  帯状体
１３  吊し部
１４  右端
１５  左端
２０  持ち手
１００  布地  
Ｌ１  折り線
Ｌ２  折り線
Ｃ１  切り取り線
Ｓ１  縫線
Ｓ２  縫線
【図１】
2016043163.tif 000003
【図２】
2016043163.tif 000004
【図３】
2016043163.tif 000005
【図４】
2016043163.tif 000006
【図５】
2016043163.tif 000007
【図６】
2016043163.tif 000008
(57)【要約】【課題】  暗夜に車道を直進、又は、蛇行する自転車を遠方より、鮮明に見えやすくするための、追突事故防止の反射板装置を提供する。【解決手段】  幅広な透明小判形状の両端面に、再帰反射シートを設け、前記張り出し反射板本体に、切り込み部を設け、三本のスポークに当て嵌まるように形成した張り出し反射板に、タイヤと符属設備の透間を通して、ライトがあたり強く輝くにより遠方より直視可能にすることを特徴とする追突事故防止の反射板装置。【選択図】図２
2016043914.tif 000002
【特許請求の範囲】
【請求項１】
幅広な透明小判形状の両端面に、再帰反射シートを設け、前記張り出し反射板本体に切り込み部を設け、三本のスポークに当て嵌まるように形成した張り出し反射板に、タイヤと符属設備の透間を通して、ライトがあたり強く輝くにより遠方より直視可能にすることを特徴とする追突事故防止の反射板装置。
【請求項２】
車輪とタイヤ部に嵌め込みの、Ｕ字形反射板を設けてなる請求項１の追突事故防止の反射板装置。
【発明の詳細な説明】
【技術分野】
【０００１】  本発明は、暗夜に車道を、直進、又は、蛇行する自転車を遠方より、鮮明に見えやすくするようにした。追突事故防止の反射板装置に関するものである。
【背景技術】
【０００２】  従来、スポークに設けた反射板は、横断走行には、効果のあることは、知られているが、一方それに反する、車道を直進、蛇行、無点灯の違反自転車に対する対策が無策で、改良されることなく現在に至っている。
【発明の概要】
【発明が解決しようとする課題】
【０００３】  そのために、次のような問題点があった。
（イ）暗夜遠く車道を直進する、自転車のカバーの後部に設けた、赤く輝く反射板とペ      タルの反射板が、法外に小さく設備されてはいるが、装飾品にすぎなく確認不可能      が最大事故の原因と言われていた。
（ロ）自動車が自転車に対する頻発事故は、平成２５年度の警察庁の全国統計によると      、１０万２百１８件と膨大であり、分類すると、人身事故が６万４百６５件であっ      た。故に、自転車事故の頻発は、なぜ起るのかを、テレビ局にて放映されていたの      である。
本発明は、以上の問題点を解決するためになされたものである。
【課題を解決するための手段】
【０００４】  そして本発明は、上記目的を達成するために、符属設備に接触しない、幅広な透明の小判形状の両端面に、再帰反射シートを設け、前記張り出し反射板本体に、切り込み部を設ける。三本のスポークに当て嵌まるように形成した張り出し反射板に、タイヤと符属設備の透間を通して、ライトをあてると強く輝くようになる。以上を特徴とする追突事故防止の反射板装置である。【０００５】  また、第２の課題解決手段による作用は、車輪よりタイヤ部に向けＵ字形成反射板を設けたことにより、Ｕ字形状底部の再帰反射により、蛇行自転車を直視しやすく効果を発揮するものである。形成は、弾力性ステンレスにて、嵌部口を狭め軟質性ゴムタイヤを圧縮せしめ落下防止されている。また、外す部を先端に設けている。
【発明の効果】
【０００６】  上述したように本発明の反射板は、張り出すの反射板に、ライトを当てるにより、後方から見て、タイヤが輝いているように、ドライバーの目に映えるので、車道を走行する違反自転車を直視でき、安全運転の効果を発揮する。
また、蛇行の場合は、Ｕ字形状の側面と底部の反射により、反射角度が乱れても点滅することなく、さらに輝くが強くなり事故の激減を達成できるものである。
【図面の簡単な説明】
【０００７】
【図１】  本発明の平面図
【図２】  本発明に係る反射板の一部欠き組立て斜視図
【図３】  本発明のスポーク設置の反射板
【図４】  本発明の回転輝くを後方から見た外観図
【図５】  本発明のＵ字形状の反射板
【発明を実施するための最良の形態】
【０００８】  以下、本発明の実施の形態を説明する。
（イ）反射板本体（１）の縁に、切り込み部（１ｂ）、（１ｃ）、（１ｄ）、を設け          る。
（ロ）上記切り込み部（三箇所）の中に、三本のスポーク（Ｂ）、（Ｃ）、（Ｄ）、          を、それぞれに設置する。
（ハ）装着と同時に、スポーク（Ｂ）、（Ｃ）、（Ｄ）、の両側面より、張り出す反          射板（１ａ）が現出されている。
本発明は以上のような構造で、これを使用するときは、スポーク（Ｂ）、（Ｃ）、（Ｄ）に設置するには、反射板本体（１）に切り込み部を設け、設置後、反射板本体（１）の中央部を指先でつまみ、右端を下方向きに４５度傾斜にして、切り込み部（１ｃ）を、スポーク（Ｃ）に深く嵌め込むと同時に、下方切り込み部（１ｄ）の中にスポーク（Ｄ）が嵌め込まれる。そして、この傾斜を変えずに下方へ押し下げると自動的に、上方切り込み部（１ｂ）の中にスポーク（Ｂ）が入るにより、傾斜を徐々に上方へ上げ調整しながら平面形成に装置すると嵌め込み完了となる。故に張り出し反射板（１ａ）が透間を通して、大輪反射となり混同色現象を直視することができる。
また、  反射板本体は、側面を照すことができないが、Ｕ字形状側面の反射により効果を発揮する。
【符号の説明】
【０００９】１    反射板本体
１ａ  張り出し反射板
１ｂ  切り込み部
１ｃ  切り込み部
１ｄ  切り込み部
Ａ    車輪
Ｂ    スポーク
Ｃ    スポーク
Ｄ    スポーク
２    タイヤ
３    ステンレス
４    底部反射板
５    側面反射板
６    外す部
【図１】
2016043914.tif 000003
【図２】
2016043914.tif 000004
【図３】
2016043914.tif 000005
【図４】
2016043914.tif 000006
【図５】
2016043914.tif 000007
(57)【要約】      （修正有）【課題】地震により本棚が揺れると、本棚の前面に取り付けたプラスチック製で形状が階段状のストッパーが、本棚の外に出ようとする本の衝撃を吸収する事により、本の落下を防止して、本の破損を防ぐことができる地震時本落下防止ストッパーを提供する。【解決手段】本棚１に載置した本４の前面に、プラスチック製で形状が階段状のストッパー２を、両面テープによって貼り付け固定し、地震発生時の揺れによって引き起こされる本の落下を防止し、本の破損を防ぐ、地震時本落下防止ストッパー。【選択図】図３
2016043222.tif 000002
【特許請求の範囲】
【請求項１】
本棚（１）の前面にプラスチック製で形状が階段状のストッパー（２）を取り付けた地震時本落下防止ストッパー。
【発明の詳細な説明】
【技術分野】
【０００１】この発明は、地震の揺れによって起こる、本の落下を防止するストッパーである
【背景技術】
【０００２】従来は、地震の揺れが起こると、本棚の本が落下してしまう。
【先行技術文献】
【０００３】
【特許文献１】
【発明の概要】
【発明が解決しようとする課題】
【０００４】これは、次のような欠点があった。
従来は、地震の揺れが起こると、本棚の本が落下してしまい多くの本を破損させてしまうことが多かった。
本発明は、以上のような欠点をなくすためになされたものである。
【課題を解決するための手段】
【０００５】本棚（１）の前面に両面テープ（３）で取り付けたプラスチック製で形状が階段状のストッパー（２）を設ける。本発明は、以上の構成によりなる地震時本落下防止ストッパーである。
【発明の効果】
【０００６】地震により本棚（１）が揺れると、本棚（１）の前面に取り付けたプラスチック製で形状が階段状のストッパー（２）によって、本（４）の落下を防止して本（４）の破損を防ぐ事ができる物である。
【図面の簡単な説明】
【０００７】
【図１】本発明のストッパーを棚に取り付けた状態の斜視図
【図２】本発明のストッパーの斜視図
【図３】本発明のストッパーを棚に取り付けた状態の矢状面の断面図
【発明を実施するための形態】
【０００８】  以下、本発明を実施するための形態について説明する。
本棚（１）の前面にプラスチック製で形状が階段状のストッパー（２）を両面テープ（３）取り付ける。
本発明は、以上のような構造である。
これを使用するときは、本棚（１）から落下すると破損する可能性のある本（４）の破損防止に使うと良い。
【符号の説明】
【０００９】１  本棚
２  プラスチック製で形状が階段状のストッパー
３  両面テープ
４  本
【図１】
2016043222.tif 000003
【図２】
2016043222.tif 000004
【図３】
2016043222.tif 000005
【図４】
2016043222.tif 000006
【手続補正書】
【提出日】平成26年10月8日(2014.10.8)
【手続補正１】
【補正対象書類名】明細書
【補正対象項目名】０００７
【補正方法】変更
【補正の内容】
【０００７】
【図１】  本発明のストッパーを棚に取り付けた状態の斜視図
【図２】  本発明のストッパーの斜視図
【図３】  本発明のストッパーに本が接触した時の矢状面の断面図
【図４】  本発明のストッパーに本が接触していない時の矢状面の断面図
(57)【要約】【課題】洗髪後の髪をタオルでふいても、タオルの生地は髪の中や頭皮近くまでは入りにくく、水分は取れにくい。ドライヤ−を使用すると、髪を傷めてしまう事があった。  本発明は、洗髪後の毛先から頭皮上までの、髪全体の水分を吸収して除去するための髪用タオルを提供する。【解決手段】タオルの表面に複数の糸を設け、糸に結び目を設けたことを特徴とする髪用タオル。【選択図】図１
2016043223.tif 000002
【特許請求の範囲】
【請求項１】
タオルの表面に複数の糸を設け、糸に結び目を設けた髪用タオル。
【請求項２】
結び目が、吸水性のある留め具である請求項１の髪用タオル。
【発明の詳細な説明】
【技術分野】
【０００１】  本発明は、ぬれた髪の水分を取るタオルに関するものである。
【背景技術】
【０００２】  従来、洗髪後の水分を取るために、タオルやドライヤ−等を使用していた。
なお、手袋の形をしたタオルが知られている（特許文献１参照）。
【先行技術文献】
【特許文献】
【０００３】
【特許文献１】  特開平１１−２９９６８４号公報
【発明の概要】
【発明が解決しようとする課題】
【０００４】  洗髪後の髪をタオルでふいても、タオルの生地は髪の中や頭皮近くまでは入りにくく、水分は取れにくい。ドライヤ−を使用すると、髪を傷めてしまう事があった。
本発明は、以上の問題点を解決するためになされたものである。
【課題を解決するための手段】
【０００５】  タオルの表面に複数の糸を設け、糸に結び目を設ける。
以上の構成よりなる髪用タオル。
【発明の効果】
【０００６】  従来取れにくかった、髪の奥や頭皮の水分を除去することができる。タオルを動かす回数を減らせ、髪が傷みにくい。
【図面の簡単な説明】
【０００７】
【図１】本発明の断面図
【発明を実施するための形態】
【０００８】  以下、本発明の実施の形態を説明する。
（イ）タオル（１）の表面に複数の糸（２）を間隔をつけて設ける。
（ロ）糸（２）の根元を結び、結び目（３）を設ける。
本発明は以上のような構造である。
本発明を使用するときは、髪にタオル（１）をあてがい手で押さえて、結び目（３）を髪の中に埋没させて一定の方向に動かしてふく。
結び目（３）はタオル表面に突起状に形成されているため、髪の奥まで入り、髪の根元や頭皮上の水分を吸収させることができる。
【符号の説明】
【０００９】  １タオル、２糸、３結び目
【図１】
2016043223.tif 000003
(57)【要約】【課題】本発明は、汁物を食べるとき容器に残った小さな食材を食べられるようレンゲスプーンの底の周りに小さな孔を設け、小孔から汁を容器に戻し食材だけを食べる小孔付きレンゲスプーンを提供する。【解決手段】  レンゲスプーン（１）の底の周りに小さな孔（２）を複数設けたことを特徴とする。【選択図】図１
2016043224.tif 000002
【特許請求の範囲】
【請求項１】
レンゲスプーン（１）の底の周りに小さな孔（２）を複数設けたことを特徴とする小孔付きレンゲスプーン。
【発明の詳細な説明】
【技術分野】
【０００１】  本発明は、汁物を食べるとき容器に残った小さな食材を食べられるようレンゲスプーンの底の周りに小さな孔を設け、小孔から汁を容器に戻し食材だけを食べる小孔付きレンゲスプーンに関するものである。
【背景技術】
【０００２】  従来のレンゲスプーンの底には孔があけられていないのが一般的である。
【先行技術文献】
【特許文献】
【０００３】
【特許文献１】
【発明の概要】
【発明が解決しようとする課題】
【０００４】  これは次のような欠点があった。
（イ）汁物を食べたとき箸でつかめない小さな食材が容器の中に残り、汁を全部飲まなければ箸で食材をつかめない。
（ロ）従来のレンゲスプーンで食材をすくうと汁も一緒に入り汁も飲むようになる、スプーンを傾け汁だけを容器に戻そうとすると食材も一緒に流れる。
本発明は、これらの欠点をなくすためになされたものである。
【課題を解決するための手段】
【０００５】  レンゲスプーン（１）の底の周りに小さな孔（２）を複数設ける。
本発明は、以上の構成による小孔付きレンゲスプーンである。
【発明の効果】
【０００６】  （イ）容器に汁と一緒に残った食材を小孔付きレンゲスプーンで汁と食材をすくい小孔から汁を容器に戻し箸でつかめなかった食材だけをスプーンに残し食べる。
（ロ）汁の中に残った食材をレンゲスプーンですくい小孔から汁だけを容器に戻せるので汁を飲まなくとも食材を食べられる。
【図面の簡単な説明】
【０００７】
【図１】本発明の平面図である。
【図２】本発明の右側面図である。
【発明を実施するための形態】
【０００８】  以下、発明を実施するための形態について説明する。
レンゲスプーン（１）の底の周りに小さな孔（２）を複数設ける。
本発明は以上のような構造である。
本発明を使用するときは、容器の汁の中に残った食材をレンゲスプーン（１）ですくい  スプーンの底の周りの複数の小さな孔（２）から汁を容器に戻し、汁を飲まず食材だけ  を食べれる。
スプーンに残った食材を食べやすくするため、スプーン（１）のさきを細くしてある。
小孔の大きさを直径３ｍｍとした。
【符号の説明】
【０００９】  １  レンゲスプーン
２  孔
【図１】
2016043224.tif 000003
【図２】
2016043224.tif 000004
(57)【要約】【課題】一般のまな板は、食品を切った後に、別容器に移す必要があり、長期利用することで、いくら洗っても表面が汚れや細菌を繁殖させなくすることは難しい。また、まな板を洗うのが面倒という理由で、簡易な調理すら敬遠する人もいた。  本発明は、調理に興味を持たない人、調理が煩わしいと思う人に、まな板としての機能を有し、簡易的な調理が出来る容器型のまな板であり、捨てる際には、かさばらない使い捨てタイプのまな板を提供する。【解決手段】本発明は、使い捨て容器型のまな板であり、まな板として食品等を切断することに用い、その後には別容器に移すことなく、もう一枚新たに上に重ねて逆さまにし、レンジに入れ、簡易な加熱調理ができ、調理後は、その商品を別容器に移さなくても食することができ、食べた後は、同一形状のため、重ねていけば、かさばらなく捨てることができる、衛生的な使い捨て容器型まな板である。【選択図】図１
2016043230.tif 000002
【特許請求の範囲】
【請求項１】
紙材料、高分子材料、熱可塑性樹脂、またはそれらの積層材料、及び類似の作用のある材質を利用しており、まな板として利用する場合、使用者が刃物で切ると凹むことにより、力が加わりやすくなっていて切りやすく、切った後は、素材の上にもう一枚重ねて置き、逆さまにし、レンジに入れることで簡易な調理もでき、別容器に移す必要がなく、利用後は同一形状のため、捨てるときにもかさばらない容器型のまな板である。
【発明の詳細な説明】
【技術分野】
【０００１】  本発明は、まな板としての機能を有し、簡易的な調理が出来る容器型のまな板であり、捨てる際には、かさばらない使い捨てタイプのまな板である。
【背景技術】
【０００２】  まな板を使った場合、食材を切った後は、そのまま食べるのであっても、調理するのであっても、別容器に移すことが必要であった。さらに調理後、まな板として利用するためには、材質が木、プラスチック等の材質であるため、洗わなければならない。まな板は、いくら洗っても表面の汚れ、細菌の繁殖を完全にさせなくすることは難しい。そのため、洗うことの手間や料理の手間を煩わしいと感じる人も多かった。
【先行技術文献】
【特許文献】
【０００３】
【特許文献１】特許公開２００６−１１７３１７公報
【特許文献２】特許公開２０１３−１１１４５２公報
【発明の概要】
【発明が解決しようとする課題】
【０００４】  一般のまな板は、食品を切った後に、別容器に移す必要があり、長期利用することで、いくら洗っても表面が汚れや細菌を繁殖させなくすることは難しい。また、まな板を洗うのが面倒という理由で、簡易な調理すら敬遠する人もいた。
本発明は、以上の問題点を解決することを目的とする。
【課題を解決するための手段】
【０００５】  第一発明は、紙材料、高分子材料、熱可塑性樹脂、またはそれらの積層材料、及び類似の作用のある材質を利用し、強化用に凹凸をつけトレー状に作っている。第二発明は、まな板として使用する際、食材を切る時には、食材が逃げずに中心に寄るような形状にし、真ん中が凹み、包丁の力が食材にかかるようになっている。第三発明は、まな板として使用した後、トレーの容器のようになっているため、もう一枚上からかぶせて蓋のようにし、逆さまにすれば、簡易的な蓋付き容器になる。第四発明は、そのように蓋付き容器にした後は、レンジに入れ、蒸し料理など簡便な調理ができる。凹凸をつけている為、煮汁などが出ても、その底の部分に溜まるようになっている。第五発明は、同一形状のため、捨てる際にはペットボトルのようにかさばらず、重ねて捨てることができる。
以上の構成による使い捨て容器型のまな板。
【発明の効果】
【０００６】  本発明は、使い捨て容器型のまな板であり、まな板として食品等を切断することに用い、その後には別容器に移すことなく、もう一枚新たに上に重ねて逆さまにし、レンジに入れ、簡易な加熱調理ができ、調理後は、その商品を別容器に移さなくても食することができ、食べた後は、同一形状のため、重ねていけば、かさばらなく捨てることができる、衛生的な使い捨て容器型まな板である。
【図面の簡単な説明】
【０００７】  以下、本発明の実施形態について説明する。
【図１】容器型のまな板の斜視図である。
【図２】容器型のまな板をまな板として使用中の概略説明図である。
【図３】容器型のまな板を切った後、もう一つ重ねて逆さまにして使用中の概略説明図である。
【図４】利用後の容器型のまな板を重ね捨てる状態の正面図である。
【発明を実施するための形態】
【０００８】［図１］の容器型のまな板に食材を乗せ、まな板として食材を切ろうとしているのが［図２］である。切った後は、新しい容器型のまな板を上に載せ、重ねあわせ、ひっくり返す［図３］。レンジに入れ、簡単な調理もできる。利用後は、［図４］のように重ねることにより、かさばらずに４ゴミ箱に捨てることができる（自治体の指示に従い、分別して処理をする）
【符号の説明】
【０００９】Ａ容器型のまな板の上部。凹凸になっている部分。
Ｂ容器型のまな板の縦側側面
ＢＢ容器型のまな板の縦側側面であり圧力をかけた時に凹んだものである
Ｃ容器型のまな板の横側側面。
Ｄ容器型のまな板の下部分
ＤＤ容器型のまな板のした部分を逆さまにし、上にして、レンジに入れる前の状態である。
１食材を切る調理器具（包丁など）である。
２食材。
３調理をするための器具（レンジ）である。
４調理後で捨てるためのゴミ箱（例）である。
【図１】
2016043230.tif 000003
【図２】
2016043230.tif 000004
【図３】
2016043230.tif 000005
【図４】
2016043230.tif 000006
(57)【要約】【課題】  ナノ物質を容易に検出し、生体系への影響を調べるため、ナノ物質の凝集をコントロールする方法およびナノリスク評価方法を提供する。【解決手段】  本発明のナノ物質の凝集状態をコントロールする方法は、水溶液中の脂質膜(人工細胞膜)にナノ物質を吸着させ、膜の熱力学的性質である揺らぎを変化させることにより行う。膜は温度上昇とともに自身のエントロピーを増大させようとする。これは自身の存在領域を広げることと等価であるため、膜が揺らぐ。また脂質膜の揺らぎにより半径は1〜数マイクロメートル程度上下する。この方法により、膜面上にナノ物質を吸着させ、温度上昇による凝集を通して、どの程度ナノ物質が存在するかを光学顕微鏡で容易に観察することができる。【選択図】図１
2016043280.tif 000002
【特許請求の範囲】
【請求項１】
水溶液中の脂質膜(人工細胞膜)にナノ物質を吸着させ、膜の熱力学的性質である揺らぎを変化させることにより、膜面上におけるナノ物質の凝集状態をコントロールする方法。
【請求項２】
請求項１に記載されたナノ物質の凝集状態をコントロールする方法を用いるナノリスク評価方法。
【発明の詳細な説明】
【技術分野】
【０００１】
本発明は、ナノ物質の凝集状態をコントロールする手法とナノリスク評価方法に関する。
【背景技術】
【０００２】
現在ナノ物質の開発がさかんに進められているが、生体系への安全性（ナノリスク）はほとんど分っておらず、評価系の研究開発が急がれている。ナノ物質を分散させる技術（開発技術）は多く存在するが、存在するナノ粒子を集め生体系への影響を評価する技術はほとんど無い。
分散したナノ物質は、サイズが小さく、高額な特殊な装置（電子顕微鏡、光散乱など）で検出する必要がある。また、非特許文献１には、生体を模倣した人工細胞膜にナノ粒子を吸着させ、膜面上で小さい粒子と大きい粒子を分離する技術が記載されている。このように、生体系へのナノ物質の吸着特性の調査が試みられている。
【先行技術文献】
【非特許文献】
【０００３】
【非特許文献１】"Size-dependent partitioning of nano/micro-particles mediated by membrane lateral heterogeneity" Tsutomu Hamada, Masamune Morita, Makiyo Miyakawa, Ryoko Sugimoto, Ai Hatanaka, Mun'delanji C. Vestergaard, Masahiro Takagi, J. Am. Chem. Soc., 134, 13990-13996 (2012).
【発明の概要】
【発明が解決しようとする課題】
【０００４】
本発明は、ナノ物質を容易に検出し、生体系への影響を調べるため、ナノ物質の凝集をコントロールする方法およびナノリスク評価方法を提供することを課題とする。
【課題を解決するための手段】
【０００５】
本発明では、人工細胞膜（脂質膜）の熱力学的性質を活用することで、温度上昇により膜の揺らぎを増大させ、膜に吸着したナノ物質を凝集させることができた。結果として、凝集させることで物質のサイズが大きくなり、光学顕微鏡で容易に観察できるようになった。
【０００６】
すなわち本発明は、以下のものである。
第１の発明は、水溶液中のソフトマターである脂質膜(人工細胞膜)にナノ物質を吸着させ、膜の熱力学的性質である揺らぎをコントロールすることにより、従来困難であった膜面上におけるナノ物質の凝集状態をコントロールする新手法である。
【発明の効果】
【０００７】
人工細胞膜（脂質膜）の熱力学的性質を活用することで、温度上昇により膜の揺らぎを増大させ、膜に吸着したナノ物質を凝集させることに成功した。
【図面の簡単な説明】
【０００８】
【図１】温度上昇によるナノ粒子の凝集を表す図
【発明を実施するための形態】
【０００９】
本発明のソフトマターに関して説明する。ソフトマターとは分子レベルにおいて固体ほど構造に秩序性が高くなく、液体よりも分子の流動性が低い物質に対応する。例：脂質膜、ゲルなど。
本発明で用いる脂質分子に関して説明する。脂質分子種は多岐にわたるが、代表的なものとしてDOPC(ジオレオイルホスファチジルコリン)と呼ばれる、頭部に親水基を側鎖に疎水基を有する両親媒性の分子がある。これら分子を利用して、脂質膜を作成する。
【００１０】
本発明で用いる、脂質膜に関して説明する。脂質膜は静置水和法と呼ばれる方法で作成する。有機溶媒中に溶かした脂質分子をガラス容器などに滴下し、有機溶媒を揮発させることにより、脂質フィルムを形成させる。そのフィルムに超純水や各種塩を含んだ水溶液を追加することによりフィルムをガラス璧から剥がし、親水基の頭部が水側、疎水規同士を吸着させ、水-親-疎-疎-親-水となり、球状の脂質二分子膜が水中に形成される。大きさは直径数マイクロメートルから数十マイクロメートルに分布し、大きいものでは百数十マイクロメートルに達する。また脂質膜は、球内部と外部の分子交換は膜同士の融合などが生じない限り、水分子以外は通さない。
【００１１】
本発明における、膜揺らぎに関して説明する。膜揺らぎとは、分子の熱振動のスケールよりは大きく、膜の体積に対して膜表面積が大きくなったときに生じる現象になる。熱力学的に説明すると、膜は温度上昇とともに自身のエントロピーを増大させようとする。これは自身の存在領域を広げることと等価であるため、膜が揺らぐ。また脂質膜の揺らぎにより半径は1〜数マイクロメートル程度上下する。
この方法により、図1に示すように、膜面上にナノ物質を吸着させ、温度上昇による凝集を通して、どの程度ナノ物質が存在するかを光学顕微鏡で容易に観察することができる。ナノ物質は、人工物質に加えて花粉やウィルス等の生体物質も含むため、様々なナノ物質の検出キットとして展開が考えられる。
さらに、薬剤などのナノ物質を膜面に吸着させ、凝集・分散状態を制御することで、分子反応の活性-不活性をコントロールすることが可能になる。
【産業上の利用可能性】
【００１２】
本発明は、ナノ粒子の凝集・分散状態を温度でスイッチできるため、環境浄化、分析、化粧品、ドラックデリバリーシステム(DDS)、触媒産業などに用いることができる。
【図１】
2016043280.tif 000003
(57)【要約】【課題】机に肘をつき、ハンドル部を頬の下部に当て、左右に弧を描くように本体を動かすことにより、左右対象の眉を描くことができ、またスポンジ部を蓋の上にはめこむだけで蓋を閉めることができ、片手で使用可能な眉墨を提供する。【解決手段】ＡＢＳ樹脂材料から構成した眉墨本体のハンドル部１を、その厚さＷ１に較べて幅Ｗ２が広い湾曲形状とし、かつハンドル部１から頭部４の首部３が外側に湾曲形成しており、頭部４にポリウレタン材料からなるスポンジ部５を設け、首部３からハンドル部１にかけて段差なく緩やかに拡がるように湾曲形成し、またＡＢＳ樹脂材料からなる蓋は、蓋上部凹面がある凹部８に本体を差し込み使用する眉墨。【選択図】図１
2016043219.tif 000002
【特許請求の範囲】
【請求項１】
ハンドル部と、スポンジ部のある先端部と首部を有する眉墨本体とからなる眉墨であって、前記眉墨本体をＡＢＳ樹脂材料から構成し、前記ハンドル部を、首部に較べて幅が広い湾曲形状とし、眉墨本体の頭部からハンドル部にかけて段差なく緩やかに拡がるように湾曲形成してなることを特徴とする眉墨。
【発明の詳細な説明】
【技術分野】
【０００１】  本発明は、眉墨に関し、更に詳しくは、片手で左右対象の眉を描けるとして好適な眉墨に関する。
【背景技術】
【０００２】  眉墨の種類として、ペンシルタイプとパウダータイプ、マスカラタイプがあるが、片手で使用するほか、左右対象の眉を描くことは必ずしも容易ではない。例えば、ペンシルタイプの場合に、利き手と逆側の眉を描く際、手を捻る形で描くので、左右対象の眉を描くことは難しい。また、蓋がキャップ式の物や繰り出し式の物が多く、片手で容器を開けられない。そこで、合成樹脂材料からなる眉の形状に沿った穴を設けた眉のテンプレートが各種提案され、市販されている。【０００３】  しかし、前記のように、合成樹脂材料からなる単なる眉の形状に沿った穴を設けたものでは、片手でテンプレートを抑えながら描くことや、描きたい眉の位置を合わせる部分が不明瞭であるため、眉の位置が定まらない。また、眉の形状に沿った穴に眉墨が入りにくいので、自然な眉を描くことは難しい。
【発明の概要】
【発明が解決しようとする課題】
【０００４】  本発明は、上記のような眉墨や眉のテンプレートにおける問題点に鑑み、片手で使用でき、また左右対象の眉毛を描くことができる眉墨を提供せんとするものである。
【課題を解決するための手段】
【０００５】  本発明に係る眉墨は、スポンジ部のある頭部と首部とハンドル部を有する眉墨本体と差し込み口を有する蓋からなる眉墨であって、前記眉墨本体をＡＢＳ樹脂材料から構成し、前記ハンドル部を、首部と頭部に較べて幅が広い湾曲形状とし、首部から頭部にかけて外側に湾曲形成し、頭部にポリウレタン材料からなるスポンジ部を設け、頭部からハンドル部にかけて段差なく緩やかに拡がるように湾曲形成してなることを特徴とする。【０００６】  上記のように、本発明に係る眉墨は、机に肘をつきＡＢＳ樹脂材料からなるハンドル部を握り頬の下につけ、頭部のポリウレタン材料からなるスポンジ部を眉に当て、肘を起点に弧を描く様に動かすことによって、片手で左右対象の眉を描くことができる。また、ハンドル部が膨らみを有しているため、握りやすく、手にフィットしやすいため、手の震えがあるユーザーにも対応できる。頭部が湾曲形状であることから、本発明を使用する際、睫毛が頭部に当たらないため、違和感なく使用することが可能である。ＡＢＳ樹脂材料で構成された蓋の中に粉末状の眉墨が入っていることから、本体に蓋をすることにより、スポンジ部に粉末状の眉墨が付着するため、従来の粉末状の眉墨よりも手順を簡易化できる。従って、本発明は片麻痺のユーザーや眉墨を使用することに苦手意識を持つユーザーに最適である。
また、図１（ｃ）（ｄ）に示すように、蓋７は凹部８と先端部９から頭部１０とを有する。蓋７は、合成樹脂材料から射出成形等により一体成型された前記凹部８、先端部９及び頭部１０からなるものから構成されている。【０００７】  前記眉墨本体３と蓋７を構成するＡＢＳ樹脂の着色は、ピンクゴールド色の蒸着による塗装及び鍍金風の塗装を行う。
【発明の効果】
【０００８】  本発明に係る眉墨は、机に肘をつき、ハンドル部を頬の下に当て、本体を弧を描くように動かすだけで、片手で左右対象の眉毛を描くことができる。また、本体の形状が左右対象のため、左右の手どちらでも使用可能である。首部からハンドル部にかけて段差なく緩やかに拡がるように湾曲形成してなることから、ハンドル部に対する握り心地がよく、また本体が長すぎるから短く持ちたいといった場合に、使用者が頬の下に当てるハンドル部の位置を自分で調整でき、またこのように長さを調整した場合にも左右対象の眉を描くことができる。よって、本発明の眉墨は、片手で左右対象の眉を描ける眉墨として好適である。
【図面の簡単な説明】
【０００９】
【図１】（ａ）は眉墨本体の正面図、（ｂ）は同側面図、（ｃ）は蓋の上面図、（ｄ）は同側面図。
【図２】眉墨本体の背面図。
【図３】眉墨本体の断面図。
【図４】蓋の背面図。
【図５】眉墨本体と蓋の組み合わせ図。
【図６】図５の断面図。
【図７】眉墨を握った図。
【符号の説明】１：眉墨、２：スポンジ部、３：眉墨本体、４：頭部、５：ハンドル部、６：首部、７：蓋、８：凹部、９：先端部、１０：頭部。
【図１】
2016043219.tif 000003
【図２】
2016043219.tif 000004
【図３】
2016043219.tif 000005
【図４】
2016043219.tif 000006
【図５】
2016043219.tif 000007
【図６】
2016043219.tif 000008
【図７】
2016043219.tif 000009
(57)【要約】      （修正有）【課題】湿布を背部にはる湿布貼り補助具を提供する。【解決手段】筒状にしても平らに戻る素材で湿布を固定するシート部１を設け、シート部の両側から湿布の上下を押さえる押さえテープ２を複数設け、シート部の両側に支持棒を設けさらに支持棒の延長したところに握り部４を設けた湿布貼り補助具。【選択図】図１
2016043234.tif 000002
【特許請求の範囲】
【請求項１】
筒状にしても平らに戻る素材で湿布を置くシート部を設け  その両側に支持棒を設けさらに支持棒を延長したところに握り部を設けた湿布貼り補助具。
【請求項２】
請求項１で述べた湿布貼り補助具のシート部に  シートの両側から湿布の上下の端を押さえる複数の押さえテープを設けた湿布貼り補助具。
【発明の詳細な説明】
【技術分野】
【０００１】  本発明は  湿布を１人で背部に貼るときの補助具に関するものである。
【背景技術】
【０００２】  湿布を手の届きにくい背部腰部に貼るのに  ローラーに湿布を貼った後取っ手を持ちローラーを背部で転がして貼る方法や  あらかじめ湿布を平らなシートまたは板に広げておいて患部に貼る等の方法があり  販売されているものもある。
【先行技術文献】
【０００３】
【特許文献】
【特許文献】  特開２００５−７４１８９
【特許文献】  特開２００５−２６１８９９
【発明の概要】
【発明が解決しようとする課題】
【０００４】  腰部背部に手の届きにくいところへ湿布を貼るのは１人では困難である。
本発明は、この課題を解決することを目的とする。
【課題を解決するための手段】
【０００５】    筒状にしても元に戻る素材で湿布を置くためのシート部１を設け  シート部上に置いた湿布５の上下の端を押さえる押さえテープ２を複数設け  シート部１の左右の側面に支持棒３を設け  支持棒３の延長上に握り部４を設ける。以上を特徴とする湿布補助具である。
【発明の効果】
【０００６】    患者が自分で手の届きにくい背部腰部に湿布を貼ることが出来る。
【図面の簡単な説明】
【０００７】
【図１】本発明の斜視図
【図２】本発明に湿布を装着した斜視部
【図３】本発明に湿布を装着し握り部を９０度回転して閉じた斜視図
【図４】本発明に湿布を装着し握り部を１８０度回転して閉じた斜視図
【図５】本発明の使用状態を示した図
【図６】本発明の使用状態を示した図
【発明を実施するための形態】
【０００８】  クリアファイルのように筒状に巻いても元に戻る素材を使用して湿布を置くためのシート部１を設け  シート部１両端に固定した押さえテープ２を湿布の大きさに合わせて複数設け  シート部１の両側に支持棒３を設け支持棒３の延長に握り部４を設ける。
【０００９】  押さえテープ２について説明する。シート部１を図３図４の様にＵ字状または筒状に曲げるとシート部１の直径より外周の押さえテープ２の直径が大きくなるため押さえテープ部２の円周が長くなるが実際はシート部１の長さと同じため  押さえテープ２は緊張しシート部を圧迫する。したがって  シート部１が広がっているとき押さえテープ２はゆるく固定することができる。このことは湿布５をシート上にのせたとき押さえテープ２を湿布５の上に移動し易い長所がある。シート１を筒状にしたとき押さえテープ２が湿布５を固定できる程度に調節しておけばよい。押さえテープ２は湿布の膏薬と剥離し易いものがよく  形状はテープでもひも状でもよい。
【００１０】    現在湿布は７ｘ１０ｃｍ、１０ｘ１４ｃｍ、２０ｘ１４ｃｍの３種類が販売されている。シート部１は２０ｘ１４ｃｍの湿布が縦横に置ける広さを要する。押さえテープの間隔は７ｃｍ、１０ｃｍ、１４ｃｍ、２０ｃｍで５本あればすべての湿布の固定に対応できる。
【００１１】  両方の握り部４を９０度回転させると  図３のようにシート部１はＵ字状となり  握り部４を１８０度回転すると  図４のようにシート部１は筒状となる。さらに２７０度回転するとシート部１はさらに細くなり  着衣のまま本発明を背部に入れ易くなる。
【実施例】
【００１２】  本発明のシート部１に湿布５を置き湿布の膏薬を覆うビニールシートを除去後押さえテープ２を湿布５の上下に移動したのが図２で示してある。握り部４を閉じると図３図４の様にシート部２がＵ字または筒状と長細くなり押さえテープ２は緊張し湿布５は固定される。図５のように湿布５が患側の方に向く様に握り部４を片手で把時し湿布５が患部にきたら患部に湿布５を押し当て  握り部４を把持した手をゆるめると弾性でシート部１がひらき湿布の大部分が患部に付着する。握り部４を上下に動かすと押さえテープ２が湿布５と患部の間から外れ湿布全体がは患部に付着する。ゆとりのある着衣であれば本発明を衣服と背部の間に入れたとき支持棒３が衣服側になるため湿布５が着衣に付着しない様に利用できる。
【符号の説明】
【００１３】１  シート部
２  押さえテープ
３  支持棒
４  握り部
５  湿布
【図１】
2016043234.tif 000003
【図２】
2016043234.tif 000004
【図３】
2016043234.tif 000005
【図４】
2016043234.tif 000006
【図５】
2016043234.tif 000007
【図６】
2016043234.tif 000008
(57)【要約】【課題】簡便に種種のデザインが施されたボタンを提供すること。【解決手段】ゴムやエラストマーなどの柔らかい素材でできた円や四角等の形状で更に上面に絵等がデザインがされた上ボタン（１）及び概略円盤状の留め部（３）を概略円柱形状の支柱（２）により一体で設ける。以上の構成の衣服用ボタン。【選択図】図１
2016043233.tif 000002
【特許請求の範囲】
【請求項１】
ゴムやエラストマーなどの柔らかい素材でできた円や四角等の形状で更に上面に絵等がデザインがされた上ボタン（１）及び概略円盤状の留め部（３）を概略円柱形状の支柱（２）により一体で設ける。
以上の構成の衣服用ボタン。
【請求項２】
側面の形状が支柱部（２）を兼ねた概略台形形状の上ボタン（１）及び留め部（３）を別々に製作し後で接合した衣服用ボタン。
【請求項３】
上ボタン（１）の上に特徴的なデザインの施されたキャップ（８）を被せた請求項１若しくは請求項２の衣服用ボタン。
【発明の詳細な説明】
【技術分野】
【０００１】この発明は、ポロシャツやシャツにもちいるおしゃれなボタンに関するものである。
【背景技術】
【０００２】従来、ポロシャツなどにもちいるボタンは布地に直接糸で縫い合わせてもちいるものや取り外し可能なタイプがあった。
【発明の開示】
【発明が解決しようとする課題】
【０００３】そのためには次のような問題が有った。布地に縫い合わせたものは衣服を身に着けるシーンごとにボタンを交換することが難しかった。また交換できるタイプはボタン素材が硬く、衣服の裏側に抜け止め具をもちいるため交換時の取り扱いが煩雑であった。
【課題を解決するための手段】
【０００４】素材をエラストマー若しくはゴムとし、表に露出する部分とボタンを留める衣類の部位には止めるための貫通穴を設け、この貫通穴の裏側に位置する部分および繋ぎの部位を一体若しくは別々に製作し、表に出る側には印刷等でデザインを施したり、デザインが施されたキャップを被せ、貫通穴からボタンが抜け落ちるのを防ぐための留め具をとくにはもちいない構造とした。
【発明の効果】
【０００５】ボタンを止めるための止め具をもちいないために交換が容易。【０００６】素材をゴムやエラストマーをもちいるためボタンの留め穴への取り付けが容易で肌触りも良い。
【発明を実施するための最良の形態】
【０００７】以下に本発明の実施の形態を図を用いて説明する。
ゴムやエラストマーなどの柔らかい素材でできた円や四角等の形状で更に上面に絵等がデザインがされた上ボタン（１）及び概略円盤状の留め部（３）を概略円柱形状の支柱（２）により一体で設ける。
本案は以上の構成で、使用の際は留め部（３）を衣服のボタン用下穴（５）に通して下布（７）の裏側に位置あわせする。この状態で上布（６）に開けられたボタン用上穴（４）を通して上布（６）と下布（７）をボタン（９）で留める。この際上ボタン（１）に特徴的な形状や色とした別のキャップ（８）を取り付けてもよい。
また図３に示すように側面の形状を美しくするため支柱（２）を兼ねた形状の上ボタン（１）及び留め部（３）を別々に製作し後工程で超音波溶着などで接続して設けても良い。
【図面の簡単な説明】
【０００８】
【図１】本発明の斜視図である。
【図２】本発明の取り付けの形態の透過斜視図である。
【図３】本発明の上下を別製作した場合の形態の側面図である。
【符号の説明】
【０００９】１．上ボタン
２．支柱
３．留め部
４．ボタン用上穴
５．ボタン用下穴
６．上布
７．下布
８．キャップ
９．ボタン
１０．接続部
【図１】
2016043233.tif 000003
【図２】
2016043233.tif 000004
【図３】
2016043233.tif 000005